(57)【要約】【課題】自転車型足踏み動作による運動具などに使用される油圧シリンダーの心軸における発熱による火傷を防止する。【解決手段】足踏み運動具２０の足踏み板に負荷を与える油圧シリンダー本体１は、定位部１２１と足踏み板側に枢着される他端との間に配置されて、外スリーブ１２内を往復動する芯軸１１によって該外スリーブ内のピストンを摺動させて適度の運動量に相当する負荷を与える。芯軸１１の一端には芯軸カバー１３を設けて該外スリーブの外周を覆うと共に他端側の頭部１３１を足踏み板との枢設部と連結し、芯軸が引き出された状態で触れないようにカバーする。【選択図】図２
0003126467.tif 000002
【実用新案登録請求の範囲】
【請求項１】
足踏み運道具などの運動動作に対して負荷を与えるピストンを操作する心軸に対して、
心軸の一端に固定されて、心軸を覆い、かつ油圧シリンダー本体の外径より大きい内径を備えた心軸カバーを設けて油圧シリンダー本体に沿って移動自在に覆うことにより、心軸の伸縮動作に伴なって心軸が露出しないようにした、
ことを特徴とする心軸カバーを備えた油圧シリンダー。
【請求項２】
前記心軸は、一端に枢設部を設け、心軸カバーの一端を該枢設部に固定したことを特徴とする請求項１記載の心軸カバーを備えた油圧シリンダー。
【請求項３】
前記油圧シリンダー本体は、その外側に外カバー管を設け、心軸カバーの内径は外カバー管外径より大きいことを特徴とする請求項１記載の心軸カバーを備えた油圧シリンダー。
【請求項４】
前記心軸カバーは、一端に心軸カバーと相互に連通する頭部を成形し、且つ頭部両側には通孔が貫設され、そこに心軸の枢設部が納置されて、足踏み運道具の構造部に固定されることを特徴とする請求項２記載の心軸カバーを備えた油圧シリンダー。
【考案の詳細な説明】
【技術分野】
【０００１】
本考案は、足踏み式運道具などに用いられる油圧シリンダーの油圧シリンダーの伸縮する際の保護構造に関するもので、運度具の足踏み動作の際に摩擦熱により高温度となる心軸がその動作に伴って連動する保護カバーにより人体に触れることが無いように遮断されて保護されるものである。
【背景技術】
【０００２】
今日、現代人は運動をする時間も場所も乏しいため、各種室内で行える小型運動器具が市場に出ており、使用者はこれらを用いて僅かな時間を利用して家で運動を行うことが多い。これらの使用方法は簡単で、適用年齢が幅広く、価格も手ごろであるため、多くの消費者に受け入れられている。またメーカでも各式小型運動器具の機能を逐次改善し、使用時の安全性を重視した設計で、使用者の興味を引くことを期待している。
【０００３】
足踏み式運道具などに用いられる油圧シリンダーは、足踏み動作により受けた圧縮作用により気圧を蓄え、且つ外からの力がかからない時には油圧シリンダーの心軸はその圧力を開放して自動的に伸びる特性を具える。そのため、油圧シリンダーが力を受けた過程において、適度な抵抗力を具えるため、各種の運動器具に利用され、使用者が力をかけた時の抵抗力(例として、自転車型運動用具のペダル、腕力を鍛える拡胸器等)に使用される。エクササイズの時間を通常少なくとも１０分間継続すると、油圧シリンダー内に於いて、心軸のピストンと桿体間の摩擦による発熱が非常に大きくなり、油圧シリンダーが往復操作を連続して継続した後、それによって発生した摩擦温度は、急速に上昇して熱くなる。そのため、使用者が不注意に触ると、火傷をする危険性が発生する。また仮に桿体の温度が火傷をするほど熱くなかったとしても桿体が熱いことに驚き、慌てて健康器具から降りようとして事故を引き起こしてしまうこともある。
【０００４】
下記の公知文献に記載されたものは、断熱材を具えた内管及び外蓋で構成された外管体である。この内管は管口端に複数個の掛合孔を設置し、外蓋は内管の口部に合わせた形状である。外蓋の周辺縁箇所には複数の軸向きの掛合桿を凸設し、内管及び外蓋を相互に掛合する。更にそのうち内管及び外蓋端面には油圧シリンダー、枢設環を設置する通孔、開孔が設置される。外管体が油圧シリンダーを包むことにより、使用時に発生する温度を遮断する。
【特許文献１】台湾  特許登録第５１６５９１号「気、油圧シリンダーの外管体構造」
【特許文献２】特開２０００−９３５５２号公報
【考案の開示】
【考案が解決しようとする課題】
【０００５】
解決しようとする問題点は、油圧シリンダー外に設置した外管体の断熱方式であるため、油圧シリンダーが伸縮する心軸に対応できず、一緒に覆っているため、使用時、油圧シリンダーの心軸が伸長して露出する桿体部分が増えた時に触ると、使用者が火傷する危険性が発生し、断熱の効果を十分に得られない点である。
【課題を解決するための手段】
【０００６】
本考案は、油圧シリンダー本体から伸びる心軸上に心軸カバーを設置する。その心軸カバー内径は油圧シリンダー本体及びその外カバー管の外径よりやや大きく、心軸の伸長、短縮に合わせて油圧シリンダー本体軸方向に位置移動する。更にこの心軸カバーの頭部は心軸の枢設部を納置し、心軸の頭部と共にその他の物件上に枢設する。心軸が伸長した時、心軸カバーは心軸に従って油圧シリンダー本体と重ならない離れた位置まで移動する。また心軸が短縮した時、心軸は油圧シリンダー本体外に沿い、定位部方向へ移動し、心軸カバーによって常に心軸が覆われた断熱状態を保ち、使用者の火傷を防ぐ。更にこの心軸カバーの位置移動中、内部の気流を動かし、油圧シリンダー本体の放熱効果を高めて火傷などの事故を防止することを最も主要な特徴とする。
【考案の効果】
【０００７】
本考案の油圧シリンダーの伸縮による断熱構造は、油圧シリンダーの心軸の断熱構造により、心軸の伸長、短縮に従って連動し、完全な断熱効果を具え、使用者の火傷を防止するという利点がある。
【考案を実施するための最良の形態】
【０００８】
本考案の主な目的は、油圧シリンダーの伸縮による断熱構造を提供することにより、油圧シリンダーの伸縮した心軸部分の断熱措置がなかった従来技術を改善し、使用者の火傷を防止することを実現した。
【０００９】
前述の目的を達成するため、油圧シリンダー本体が伸びた心軸上に心軸カバーを被せ、その心軸カバー内径は、油圧シリンダー本体及びその外カバー管の外径よりやや大きく、心軸の伸長、短縮に合わせて油圧シリンダー本体の軸方向に沿って方向移動し、心軸カバーの頭部は心軸の枢設部に納置され、心軸頭部でその他の物件を枢設する。
【００１０】
心軸が伸びた時、心軸カバーは心軸に従い、油圧シリンダー本体と重ならない位置まで移動する。心軸が短くなった時には心軸カバーは油圧シリンダー本体外に沿い、定位部方向へ移動し、心軸カバーによって心軸は常に覆われた状態で、断熱効果により、使用者の火傷を防止する。心軸カバーが移動する過程で、内部の気流が動き、油圧シリンダー本体の放熱効果を備え、使用者の火傷の発生を防止する。
〔実施形態〕
【００１１】
図１に示すとおり、本考案の油圧シリンダーの伸縮による断熱構造は、油圧シリンダー本体１を含み、その油圧シリンダー本体１は、内部に心軸１１が延伸する。この心軸１１は、油圧シリンダー本体１内のピストン(図未提示)と連結し、油圧シリンダー本体１の心軸１１が伸縮した時、減衰と蓄圧作用を行なう。この油圧シリンダー本体１外部に外カバー管１２を嵌め、その外カバー管１２が油圧シリンダー本体１に使用者が直接触れるのを防止する。この油圧シリンダー本体１は、外カバー管１２外端に定位部１２１を形成し、油圧シリンダー本体１の心軸１１外端には枢設部１１１を形成し、定位部１２１及び枢設部１１１によって減衰、蓄圧効果を得る。上述の油圧シリンダー本体１の構造と原理は公知事項であって、且つ本考案の保護の目的ではないため、詳述しない。
【００１２】
油圧シリンダー本体１の心軸１１外に心軸カバー１３を被せ、その心軸カバー１３の内径は、油圧シリンダー本体１及び外カバー管１２より僅かに大きい。心軸カバー１３の一端には頭部１３１が形成され、その頭部１３１は、心軸カバー１３内部と連通し、枢設部１１１を納置する。更にこの頭部１３１の左右両側には通孔１３２を貫設し、頭部１３１内の枢設部１１１が通孔１３２を通ってその他の部品と組み合わさる。油圧シリンダー本体１の心軸１１が伸縮する時、心軸カバー１３は頭部１３１と心軸１１の枢設部１１１とが固定されているため、心軸カバー１３は油圧シリンダー本体１の軸方向に沿って外カバー管１２外側で移動し、心軸１１を熱から遠ざける効果を具える。
【００１３】
本考案の油圧シリンダー本体１は、小型運動器具もしくはその他の物件上に組合せる。心軸１１に依る減衰効果と蓄圧により良好な効果を発揮する。本実施例では、油圧シリンダー本体１を相踏み運道具本体に組み立てた構造を例に説明するが、油圧シリンダー本体１は相踏み運道具本体だけを唯一の用途にしているわけではない。
【００１４】
図２から図４に示すとおり、油圧シリンダー本体１は、相踏み運道具２０の足踏み板２１の下方に設置したもので、足踏み板２１と連動し、足踏み板２１を踏んだ時の抵抗力に基づき、運動効果を得る。
【００１５】
この油圧シリンダー本体１は、外カバー管１２一端の定位部１２１で相踏み運道具の底台２２に枢設固定され、油圧シリンダー本体１の心軸１１、心軸カバー１３の枢設部１１１、頭部１３１が脚踏み板２１の底端に枢設固定され、それらが脚踏み板２１の運動によって伸びたり、縮んだりする。
【００１６】
本考案を使用する時、図５及び図６に示すとおり、点線で部品を説明し、図５及び図６では単辺構造指示図で示し、相踏み運道具一側面の足踏み板２１と油圧シリンダー本体１の運動状況を図で示す。
【００１７】
足踏み板２１が高位置にあり、使用者が踏み込む前は、油圧シリンダー本体１の心軸１１は伸長状態にある。心軸１１外の心軸カバー１３が引出されて油圧シリンダー本体１、外カバー管１２の位置まで離れた時の外観を図５に示す。
【００１８】
足踏み板２１が使用者に踏み込まれて圧縮した時、図６に示すとおり、油圧シリンダー本体１の心軸１１は、油圧シリンダー本体１内に圧縮されて押し込まれ、この時、心軸１１外に設置された心軸カバー１３が、心軸１１の枢設部１１１に従って連動し、油圧シリンダー本体１軸方向に沿って外カバー管１２の定位部１２１方向へ移動する。
【００１９】
足踏み板２１は次に高位置の踏み込まれる状態に回復した時、この心軸１１は足踏み板２１によって引き出されて伸長し、心軸１１外の心軸カバー１３は枢設部１１１に従って動き、油圧シリンダー本体と離れる位置まで戻り、心軸１１を包む状態に戻る。
【００２０】
心軸カバー１３は、心軸１１の伸縮に従い、外カバー管１２外側へ移動し、これによって心軸１１が使用者に触れるのを防止し、また心軸１１の運動を妨げない。更にこの心軸カバーの伸長、圧縮の動作により内部気体の流動を助け、油圧シリンダー本体１の放熱効果も高めて温度を下げる。
【００２１】
上述は、本考案の実施例の一つを説明したものであり、本考案の如何なる形式に制限を加えるものではない。更に同等の精神に基づいた本考案に対する如何なる修飾もしくは変更はすべて本考案の保護範囲とする。
【図面の簡単な説明】
【００２２】
【図１】本考案の立体指示図である。
【図２】本考案の組立立体指示図である。
【図３】本考案の組立立体指示図である。
【図４】本考案の組立側面図である。
【図５】本考案の伸長状態使用単片指示図である。
【図６】本考案の圧縮状態使用単片指示図である。
【符号の説明】
【００２３】
１        油圧シリンダー本体
１１        心軸
１１１        枢設部
１２        外スリーブ
１２１        定位部
１３        心軸カバー
１３１        頭部
１３２        通孔
２０        相踏み運道具
２１        踏み板
２２        底台
【図１】
0003126467.tif 000003
【図２】
0003126467.tif 000004
【図３】
0003126467.tif 000005
【図４】
0003126467.tif 000006
【図５】
0003126467.tif 000007
【図６】
0003126467.tif 000008